(57)【要約】【課題】壁の裏側に配設されたケーブルを壁の表側から効率良く探知する、壁裏に隠蔽されたケーブルの探知方法、ケーブルの被探知具およびケーブルの探知装置を提供するものである。【解決手段】磁力線を発する被探知具４の磁化方向がケーブル５の長手方向に沿うように該被探知具４をケーブル５に取付け、次いで、前記磁力線を壁４の表側から検出し、検出された磁力線の位置によって前記被探知具４の位置、即ち、ケーブル５の位置を壁４の表側から探知する。【選択図】    図１
2004347365.tif 000002
【特許請求の範囲】
【請求項１】
壁裏に沿って配線されたケーブルの位置を磁気的に探知するケーブルの探知方法であって、
被探知具の磁界の方向が前記ケーブルの長手方向に沿うように該被探知具を該ケーブルに取付け、次いで、前記被探知具を壁表側から検出し、検出された被探知具の位置によって前記ケーブルの位置を壁表側から探知することを特徴とする壁裏に隠蔽されたケーブルの探知方法。
【請求項２】
被探知具は、ケーブルの先端側を壁裏から壁表に引き出す余長を残してケーブルに取付けられることを特徴とする請求項１に記載の壁裏に隠蔽されたケーブルの探知方法。
【請求項３】
壁裏に隠蔽されるケーブルを壁表から磁気的に探知するために該ケーブルに取付けられる被探知具であって、
磁力発生部と、
前記磁力発生部により発生する磁界の向きが前記ケーブルの長手方向に沿うように該ケーブルに取付可能な取付部とを備えたことを特徴とするケーブルの被探知具。
【請求項４】
前記取付部はケーブルに対して側方から挿入可能であることを特徴とする請求項３記載のケーブルの被探知具。
【請求項５】
磁力発生部は、１または複数の磁石と、該磁石を収容する磁石収容部とから構成したことを特徴とする請求項３または請求項４に記載のケーブルの被探知具。
【請求項６】
複数の磁石がケーブルの長手方向に沿って配置されてなることを特徴とする請求項５に記載のケーブルの被探知具。
【請求項７】
磁力発生部と、前記磁力発生部により発生する磁界の向きがケーブルの長手方向に沿うように該ケーブルに取付可能な取付部とを備え、壁裏に隠蔽されるケーブルを壁表から磁気的に探知するために該ケーブルに取付けられる被探知具と、前記磁力発生部の一方の極性を壁表から探知可能な探知器とからなり、前記被探知具は、前記一方の極性が壁裏に配線されたケーブルの反先端側に向けて配置されるように取付けられることを特徴とするケーブルの探知装置。
【発明の詳細な説明】
【０００１】
【発明の属する技術分野】
本発明は、壁の裏側に隠蔽されて配設されたケーブルを探知する、壁裏に隠蔽されたケーブルの探知方法、ケーブルの被探知具およびケーブルの探知装置に関する。
【０００２】
【従来の技術】
従来より、建物の壁面にスイッチやコンセント等の配線器具を取付ける場合、壁裏に予め配線されたケーブルを壁の表側に引き出し、引き出されたケーブルの先端側に該配線器具を取付けた状態で、該配線器具を当該壁面に固定するものである。
【０００３】
ここで、前記ケーブルを壁の裏側から表側に引出すに際しては、該ケーブルを引出すための引出孔を当該ケーブルの配線位置に対応して壁面に穿設しなければならない。しかし、当該ケーブルは壁裏に隠蔽されて配線されているため、特殊な手法によってケーブルの配線位置を探知した後、該ケーブルの配線位置に対面するようにケーブル引出孔を穿設するようにしていた。
【０００４】
図７は、隠蔽状態にあるケーブルを磁気的に検出する従来技術を示す。ケーブル１００は、壁１０１の裏面に沿って上下方向に配線されて、壁１０１の表側からは隠蔽状態にある。前記ケーブル１００には、２個の被探知用磁石１０２が壁１０１に対面する方向に直列に取付けられている。このように取着された該被探知用磁石１０２では、ケーブル１００の配線方向に直交する方向に磁化される。つまり、例えば、同図示のように、該被探知用磁石１０２は、壁１０１に近い側がＮ極であって、ケーブル１００に近い側がＳ極になっている。図７に示す状態においては、被探知用磁石１０２から発せられた磁力線Ｍは該被探知用磁石１０２のＮ極と対面する位置イにおいて、壁１０１を直角に横切っている。該磁石１０２から発せられる磁力線Ｍは、回転自在に設けられた探知用磁石１０３によって探知されるものである。
【０００５】
このような従来技術において、図７に示すように、前記探知用磁石１０３を壁１０１に沿って矢示Ｂ―Ｃ方向で示される上下方向へ移動させると、図示のように、被探知用磁石１０２から発せられる磁力線Ｍを感知した該探知用磁石１０３は該磁力線Ｍの磁路に沿った方向を向く。
【０００６】
又、図８に示すように、前記探知用磁石１０３を壁１０１に沿って矢示Ｄ―Ｅで示される水平方向へ移動させると、被探知用磁石１０２から発せられる磁力線Ｍを感知した該探知用磁石１０３は該磁力線Ｍの磁路に沿った方向を向く。
【０００７】
そして、前記探知用磁石１０３が被探知用磁石１０２のＮ極に対面する位置イに到達した場合には、該探知用磁石１０３は壁１０１に直交する方向を向くため、当該位置イの真裏に被探知用磁石１０２のＮ極が存在していることが感知される。従って、該探知用磁石１０３と壁１０１との成す角度を目視することにより、該被探知用磁石１０２の存在位置、即ち、ケーブル１００の配線位置を探知できる。
【０００８】
これに関しては、特許文献１に示すように、ケーブルの先端に磁石を取付けておき、磁石から発せられる磁力線の磁束密度及び極性を壁の表側から探知機によって検出することにより、ケーブルの配線位置を探知する発明も提案されている。又、特許文献２に示すように、ケーブルに信号電流を流し、該信号電流を壁の表側から検出することにより、ケーブルの配線位置を探知する発明も提案されている。
【０００９】
［特許文献１］
特開昭４８−８０９２号公報（第１図）
［特許文献２］
特開平１１−２１１７７４号公報
【００１０】
【発明が解決しようとする課題】
ところが、図７に示すように、ケーブル１００の先端は固定されていないため、ケーブル１００の配線作業の途中において、該ケーブル１００は矢示Ｆ―Ｇ方向へ自転することにより、例えば、図９に示すように、被探知用磁石１０２の向きが変化することがある。つまり、図９に示すように、被探知用磁石１０２の磁化方向が壁１０１に直交しない方向、例えば、壁１０１に平行な方向を向いたままの状態で該ケーブル１００及び被探知用磁石１０２が壁１０１の裏側に隠蔽されてしまう場合も起きる。同図示のように、被探知用磁石１０２の磁化方向が壁１０１に平行の場合、そのＮ極から発せられた磁力線Ｍは曲線を描くようにして、該Ｎ極から離れた位置ロにおいて壁１０１を略直角に横切るものである。
【００１１】
このような状態において、被探知用磁石１０２の存在位置を探知しようとして、探知用磁石１０３を壁１０１に沿って移動させると、被探知用磁石１０２のＮ極から発せられる磁力線Ｍが壁１０１と直交する位置ロにおいて、該探知用磁石１０３が壁１０１と直交する方向を向くことになるため、被探知用磁石１０２は当該位置ロの真裏に存在するものとして感知される。
【００１２】
しかし、図９において、磁力線Ｍが壁１０１を直角に横切る位置ロの真裏には、被探知用磁石１０２は存在せず、ケーブル１００も存在しない。このため、前述の従来技術のようにして、被探知用磁石１０２を探知する場合には、ケーブル１００が実際の存在位置とは異なった位置に存在しているものと誤って探知されるという問題があった。
【００１３】
又、特許文献１に参照の従来技術においては、ケーブルの巻回された先端にのみ取付けられるものであったため、磁石が揺れる等して動き易く、磁石の姿勢が一定せず、その結果、磁力線の形態が一定しないことが磁力線の検出を困難なものとしていた。又、特許文献２に記載の従来技術においてはケーブルに信号を流すための装置が別途必要であるが、当該装置は高価であるため汎用的に使用できないという問題があった。
【００１４】
本発明は前記実情に鑑みてなされたもので、その目的は、高価な部品を用いることなく、壁の裏側に隠蔽されたケーブルを壁の表側から的確に探知できるようにした、壁裏に隠蔽されたケーブルの探知方法、ケーブルの探知具およびケーブルの探知装置を提供することにある。
【００１５】
【課題を解決するための手段】
請求項１に記載の発明は、壁裏に沿って配線されたケーブルの位置を磁気的に探知するケーブルの探知方法であって、被探知具の磁界の方向が前記ケーブルの長手方向に沿うように該被探知具を該ケーブルに取付け、次いで、前記被探知具を壁表側から検出し、検出された被探知具の位置によって前記ケーブルの位置を壁表側から探知するものである。このようにした場合、被探知具からの磁界はケーブルの長手方向に沿って発生する。従って、前記探知器によって前記磁界が探知された位置の裏側にはケーブルが配線されていることになる。このため、磁界を探知することにより、ケーブルの配線位置を的確に探知できる。
【００１６】
請求項２に記載の発明は、請求項１に記載の発明において、被探知具は、ケーブルの先端側を壁裏から壁表に引き出す余長を残してケーブルに取付けられるものである。このように構成した場合、ケーブルの余長を壁の表側に引き出してスイッチやコンセント等の配線器具を取付ける。
【００１７】
請求項３に記載の発明は、壁裏に隠蔽されるケーブルを壁表から磁気的に探知するために該ケーブルに取付けられる被探知具であって、磁力発生部と、前記磁力発生部より発生する磁界の向きが前記ケーブルの長手方向に沿うように該ケーブルに取り付け可能な取付部とを備えたものである。このように構成することにより、磁力発生部より発生する磁界の向きが前記ケーブルの長手方向に沿うように該磁力発生部をケーブルに取り付けることができる。
【００１８】
請求項４に記載の発明は、請求項３記載の発明において、取付部はケーブルに対して側方から挿入可能であるものである。このように構成した場合、磁力発生部をケーブルに取付けるに際し、該ケーブルの存在が邪魔にならない。
【００１９】
請求項５に記載の発明は、請求項３または請求項４に記載の発明において、磁力発生部は、１または複数の磁石と、該磁石を収容する磁石収容部とから構成したものである。
【００２０】
請求項６に記載の発明は、請求項５に記載の発明において、複数の磁石がケーブルの長手方向に沿って配置されてなるものである。磁石の個数を調整することにより、磁界の強さを調整できる。
【００２１】
請求項７に記載の発明は、磁力発生部と、前記磁力発生部により発生する磁界の向きがケーブルの長手方向に沿うように該ケーブルに取付可能な取付部とを備え、壁裏に隠蔽されるケーブルを壁表から磁気的に探知するために該ケーブルに取付けられる被探知具と、前記磁力発生部の一方の極性を壁表から探知可能な探知器とからなり、前記被探知具は、前記一方の極性が壁裏に配線されたケーブルの反先端側に向けて配置されるように取付けられるものである。このように構成した場合、ケーブルの配線方向に沿って磁界が発生するため、探知器が当該磁界を探知した位置の裏側にはケーブルが配線されていることになる。このため、磁界を探知することにより、ケーブルの配線位置を探知できる。
【００２２】
【実施の形態】
図１乃至図４は本発明の第１実施形態を示す。本実施の形態にかかるケーブルの探知装置１は被探知具２と、該被探知具２を探知する探知器３とを備える。該被探知具２は、壁４の裏側に隠蔽されるケーブル５に取付けられている。該被探知具２は、磁気を発生するものである。又、前記探知器３は前記被探知具２を磁気的に探知することにより、該被探知具２が取付けられているケーブル５の配線位置を探知するものである。前記被探知具２は、前記ケーブル５の先端５ａ側から前記余長部５ｂの長さだけ後退した位置においてケーブル５に取付けられている。つまり、前記被探知具２は、ケーブル５の先端５ａ側を壁裏から壁表側へ引き出す余長を残して該ケーブル５に取付けられるものである。
【００２３】
前記探知器３は、図外の筐体に回転軸によって回転自在に設けられた探知用磁石３ａを備えている。該探知器３は、前記被探知具２の一方の極性ＮまたはＳを探知するものである。即ち、後述のように、該探知器３の探知用磁石３ａと壁４との向かい合う角度によって、被探知具２の探知すべきＮ極またはＳ極の位置を探知できるものである。
【００２４】
前記被探知具２はその磁界の方向が前記ケーブル５の長手方向に沿うように前記ケーブル５に取付けられている。ここで、例えば、前記探知器３によって前記被探知具２のＮ極を探知する場合には、図示のように、該被探知具２のＮ極が上側になり、Ｓ極が下側になる向きに、つまり、該Ｎ極がケーブル５の反先端側に向けて配置され、Ｓ極が該ケーブル５の先端５ａに向けて配置されるように被探知具２は前記ケーブル５に取付けられるものである。
【００２５】
一方、前記探知器３によって前記被探知具２のＳ極を探知する場合には、該Ｓ極が上側になる向きに、つまり、該Ｓ極がケーブル５の反先端側に向けて配置され、Ｎ極が該ケーブル５の先端５ａ側に向けて配置されるように被探知具２は前記ケーブル５に取付けられるものである。
【００２６】
前記被探知具２は図２に示すように、磁石６と取付収容部７とから構成される。該取付収容部７は該磁石６を収容した状態で、前記ケーブル５に取付けられるものである。前記取付収容部７は取付部８と、前記磁石６を収容する磁石収容部９とから構成される。磁石収容部９と取付部８とは、合成樹脂によって一体成形されている。前記磁石６と前記磁石収容部９とによって磁力発生部１０が構成される。前記磁石収容部９は、上面側が開口し、底面側が閉塞した収容孔１１を有し、該収容孔１１には前記磁石６が上面側から挿入されて収容されるものである。該収容孔１１の形状は、当該収容孔１１内に収容される磁石６の形状と同一形状に形成されている。該磁石６として、１個または複数個の磁石を用いても良い。
【００２７】
前記収容孔１１の上面側には、１対の係止爪１２，１２が設けられている。該係止爪１２によって、前記収容孔１１内に収容された磁石６の抜けが防止される。各係止爪１２は、前記収容孔１１の上端から軸方向に設けられた２つのスリット１３，１３によって、前記収容孔１１の周壁の一部が前記磁石収容部９から切り離されて形成されていると共に、該収容孔１１の径方向の内外へ向けて弾性を有している。該各係止爪１２の先端には、径方向内側へ向けて突出する押え爪１４，１４が設けられている。該押え爪１４は、収容穴１１内に収容された磁石６の上面を押える。該押え爪１４の上面は、前記収容孔１１の径方向内側へ向けて下向きの傾斜面になったガイド面になっている。該ガイド面は、前記磁石６を前記収容孔１１内に挿入し易くするものである。
【００２８】
前記取付部８は、ケーブル５が挿通するケーブル挿通部１５と、該ケーブル５を矢示方向から該ケーブル挿通部１５内に案内して収容するための挿入口１６とを有し、横断面がＵ字状を成している。前記ケーブル挿通部１５には、前記収容孔１１の軸芯と平行に前記ケーブル５を挿通する。前記ケーブル挿通部１５の幅を広げる方向の力を加えた場合、該ケーブル挿通部１５の幅を当該力を加える以前の状態に復帰させる復元力が発生する。従って、前記ケーブル挿通部１５内を当該ケーブル挿通部１５の幅よりも太いケーブル５を挿通させる場合には、当該復元力によって前記取付部８が前記ケーブル５を挟むようにして、前記被探知具２が該ケーブル５の任意の位置に取付けられる。
【００２９】
前記挿入口１６には、互いに向かい合うように設けられた１対の抜止爪１７，１７が設けられている。該抜止爪１７は、挿入口１６を狭める方向に該挿入口１６から突出するように形成されることにより前記ケーブル挿通部１５内を挿通するケーブル５の抜けを防止すると共に、該抜止爪１７には前記ケーブル５を前記ケーブル挿通部１５内へ挿入し易くするためのガイド面が形成されている。
【００３０】
次に、壁２の裏面にそって予め配線されているケーブル５への被探知具２の取付について説明する。先ず、図２に示す状態において、磁石６を磁石収容部９のの上方から収容孔１１に接近させ、該磁石６を該収容孔１１内に押し込む。この場合、磁石６の下端が係止爪１２のガイド面に触れ、係止爪１２，１２を径方向外方へ広げるようにして、磁石６は収容孔１１内に押し込まれる。磁石６が収容孔１１内に収容されると、係止爪１２の押え爪１４が磁石６の上面を押えつけることにより、該磁石６は収容孔１１から抜け出ない。
【００３１】
次に、ケーブル５を図２中、矢示方向から被探知具２の挿入口１６に接近させて該挿入口１６に押し込むと、ケーブル５は抜止爪１７のガイド面に案内されつつ該挿入口１６の幅を押し広げるようにしてケーブル挿通部１５内に案内される。該ケーブル５の幅が、該ケーブル挿通部１５の幅よりも太い場合には、ケーブル挿通部１５がケーブル５を挟むようにして被探知具２は該ケーブル５の任意の位置に取付けられる。被探知具２がケーブル５に取り付けられた状態において、前記磁石６の磁界の方向は、図１に示すように、ケーブル５の長手方向、即ち、壁２の裏面に沿った方向に一致することになる。
【００３２】
次に、探知器３によって被探知具２を探知する場合について説明する。図１に示すように、被探知具２がケーブル５に取付けられた状態において、該被探知具２のＮ極から発せられた磁力線Ｍは曲線を描くようにしてＳ極に戻る。この磁力線は、位置ハにおいて壁を略直角に横切るが、位置ニにおいては壁を斜めに横切っている。
【００３３】
この状態において、前記被探知具２のＮ極を探知すべく、探知器３のＳ極を壁に向けた状態で該探知器３を壁４に沿って移動させると、該探知器３の探知用磁石３ａは当該磁力線Ｍの磁路に沿った方向を向く。つまり、前記位置ニにおいては、前記探知器３の探知用磁石３ａは壁４に対して斜めに交差する方向を向く。そして、前記探知器３が位置ハに達すると、磁力線Ｍの方向、即ち、該探知器３の探知用磁石３ａは壁４に直交する方向を向く。
【００３４】
このように、前記探知器３の探知用磁石３ａが壁４と直交する方向を向く位置を探知することにより、磁力線Ｍが壁４を略直角に横切る位置、つまり、位置ハを探知する。そして、当該位置ハの真裏には、ケーブル５が存在するため、探知器３によって、当該位置ハを探知することにより、ケーブル５の配線位置を探知できる。
【００３５】
又、このように、前記探知器３は、被探知具２の上側を探知するため、ケーブル５の配線位置を確実に探知できるものである。つまり、仮に、前記探知器３で、被探知具２の下側を探知する場合においては、探知器３が該被探知具２の下側において、磁力線Ｍが壁４を直角に横切る位置ホを検出したとしても、仮に、図示のように、余長部５ｂの長さが短い場合には、前記探知器３はケーブル５の先端５ａよりもさらに下側を探知してしまい、その結果、ケーブル５の配線位置を探知できない虞がある。しかし、この実施形態においては、前述のように、前記探知器３は、被探知具２の上側を探知するため、ケーブル５の配線位置を確実に探知できるものである。
【００３６】
一方、仮に、ケーブル５が１８０度捩れることにより、被探知具２が図１中、一点鎖線で示すように、ケーブル５の裏側に位置したとする。この場合、該被探知具２から発せられる磁力線Ｍは位置ヘにおいて壁４を横切ることになるが、当該位置ヘの真裏にはケーブル５が存在する。同様に、ケーブル５の捩れの角度の如何に拘わらず、被探知具２から発せられる磁力線Ｍが壁４を横切る位置の真裏にはケーブル５常にが存在する。
【００３７】
このように、本実施形態においては、被探知具２の磁界の方向がケーブル５の長手方向に沿うように該被探知具２をケーブル５に取付けるようにしたため、仮に、ケーブル５が自転した姿勢で壁４の裏に配線されている場合であっても、被探知具２から発せられる磁力線Ｍが壁４を略直角に横切る位置ハ、ホ、ヘを探知することにより、ケーブル５の配線位置を誤ることなく的確に探知できる。
【００３８】
その後、図４に示すように、前記位置ハまたは、位置ホにおいて前記ケーブル５を引き出すための孔Ｎを穿設し、該孔Ｎからケーブル５を壁４の表側に引き出して図示しないスイッチ等の配線器具を接続する。
【００３９】
この実施形態においては、従来の磁石６を用い、又、磁石収容部９と取付部８は合成樹脂によって成形され，又、該磁石６から発する磁力線Ｍは従来の探知器を用いて探知できるため、ケーブルの探知装置１を安価に提供できる。尚、以上の説明においては、取付部８と磁石収容部９とを一体に成形したが、両者を別体に成形した後、接着等の手段によって両者を一体化しても良い。
【００４０】
次に、本発明の第２実施形態を図５に基づき説明する。この第２実施形態においては、被探知具２が取付部８と、磁石収容部２１と、該磁石収容部２１に設けられた収容孔２２と、該収容孔２２内に収容される磁石２３とを備え、取付部８がケーブル５を挟むようにして該ケーブル５に取付けられる点においては、第１実施形態と同様である。しかし、この第２実施形態においては、収容孔２２内に磁石２３を挿入するための挿入口２４が、ケーブル５の配線方向とは直交する向きに形成され、該磁石２３が該ケーブル５の配線方向とは直交する方向から該収容孔２２内に収容される点にあり、又、係止爪２５，２５も当該磁石２３の挿入方向に向けて形成されている点にある。
【００４１】
尚、第１実施形態においては、磁石６の横断面を円形にし、収容孔１１の横断面の形状を円形に形成したが、この第２実施形態のように、磁石２３を立方体に形成すると共に、収容孔２２の形状も該磁石２３と同形の立方体の形状に形成しても良い。この第２実施形態においても、第１実施形態と同様に、磁石２３の磁界の方向がケーブル５の長手方向に沿っているため、第１実施形態と同様に、被端治具１を的確に探知して、ケーブル５の配線位置を誤りなく探知できる。この実施形態においては、磁石２３がケーブル５の配線方向と直交する方向から磁石収容部２１の収容孔２２内に挿入されるため、該磁石２３を収容孔２２内に挿入する際にケーブル５が弊害とならない。
【００４２】
次に、本発明の第３実施形態を図６に基づき説明する。この第３実施形態においては、被探知具２の中央をケーブル５が挿通するように、該被探知具２は環状に形成されている。即ち、磁石収容部３１が両端閉塞の筒体によって形成されていると共に、該磁石収容部３１の両端中心にはケーブル挿通孔３２が形成されている。又、該磁石収容部３１に収容される磁石３３は、前記ケーブル挿通孔３２に連通する孔が形成された環状を成している。前記ケーブル挿通孔３２の形状を、ケーブル５の断面形状と略同一に形成すると共に、該ケーブル挿通孔３２の大きさを該ケーブル５の太さよりも僅かに小さく形成することにより、該被探知具２はケーブル５を先端からケーブル挿通孔３２に挿通するようにしてケーブル５の任意の位置に移動できると共に、該被探知具２は該ケーブル挿通孔３２とケーブル５との間の摩擦によって、ケーブル５の任意の位置に取付けられることになる。
【００４３】
このような構成の第３実施形態においては、ケーブル５が図中、矢示Ｊ―Ｋ方向へ自転したとしても、壁２の表側から検出できる磁力線Ｍの強弱に変化はない。このため、このようにケーブル５が自転をしたとしても、磁力線Ｍを効率良く検出できて、ケーブル５を効率良く検出できる。
【００４４】
ところで、以上の各実施形態においては、ケーブル５に一個の被探知具２を取付けた場合について説明したが、複数個の被探知具２をケーブル５の配線方向にそって所定間隔を開けて取付ければ、ケーブル５が配線されている経路を探知できる。
【００４５】
【発明の効果】
以上説明したように、請求項１に記載の発明によれば、被探知具の磁界の方向が前記ケーブルの長手方向に沿うように該被探知具を該ケーブルに取付け、次いで、前記被探知具を壁表側から検出し、検出された被探知具の位置によって前記ケーブルの位置を壁表側から探知するようにしたので、被探知具からの磁界はケーブルの長手方向に沿って発生する。このため、当該磁界を探知することにより、当該磁界を探知した位置の裏側に配線されているケーブルを誤りなく、的確に探知できる。
【００４６】
又、請求項２に記載の発明によれば、被探知具は、ケーブルの先端側を壁裏から壁表に引き出す余長を残してケーブルに取付けられるので、該余長部を壁の表側に引き出すことにより、該余長部にスイッチやコンセント等の配線器具を容易に取付できる。
【００４７】
又、請求項３に記載の発明によれば、壁裏に隠蔽されるケーブルを壁表から磁気的に探知するために該ケーブルに取付けられる被探知具であって、磁力発生部と、前記磁力発生部により発生する磁界の向きが前記ケーブルの長手方向に沿うように該ケーブルに取り付け可能な取付部とを備えたので、該被探知具から発せられる磁束を探知することにより、該被探知具を取付けたケーブルの配線位置を壁の表側から誤りなく、的確に探知できる。
【００４８】
又、請求項４に記載の発明によれば、前記取付部はケーブルに対して側方から挿入可能であるので、被探知具をケーブルに取付けるに際し、該ケーブルの存在が邪魔にならない。
【００４９】
又、請求項５に記載の発明によれば、磁力発生部は、１または複数の磁石と、該磁石を収容する磁石収容部とから構成したの、磁石の個数を選択することにより、磁力線の強弱を調整できる。
【００５０】
請求項６に記載の発明によれば、複数の磁石がケーブルの長手方向に沿って配置されるため、磁石の個数を調整することにより、磁界の強さを調整できる。
【００５１】
請求項７に記載の発明によれば、前記磁力発生部により発生する磁界の向きがケーブルの長手方向に沿うように該ケーブルに取付可能な取付部とを備え、壁裏に隠蔽されるケーブルを壁表から磁気的に探知するために該ケーブルに取付けられる被探知具と、前記磁力発生部の一方の極性を壁表から探知可能な探知器とからなり、前記被探知具は、前記一方の極性が壁裏に配線されたケーブルの反先端側に向けて配置されるように取付けられるため、ケーブルの配線方向に沿って磁界が発生する。従って、前記探知器が前記磁界を探知した位置の裏側にはケーブルが配線されていることになる。このため、磁界を探知することにより、ケーブルの配線位置を的確に探知できる。
【図面の簡単な説明】
【図１】第１実施形態の被探知具をケーブルに取付けた状態を示す側断面図を示す。
【図２】第１実施形態の被探知具の分解斜視図を示す。
【図３】第１実施形態の被探知具を下側から観た斜視図を示す。
【図４】ケーブルを壁の表側に引き出した状態を示す縦断面図である。
【図５】第２実施形態の分解斜視図を示す。
【図６】第３実施形態の斜視図を示す。
【図７】従来技術の被探知用磁石をケーブルに取付けた状態を示す側断面図を示す。
【図８】図７のＡ―Ａ線断面図である。
【図９】図８に示す状態において、被探知用磁石の向きが変わった状態を示す図８と同様の図である。
【符号の説明】
１  ケーブルの探知装置
２  被探知具
３  探知器
４  壁
５  ケーブル
５ａ  ケーブルの先端
５ｂ  余長部
６  磁石
８  取付部
９  磁石収容部
１０  磁力発生部
１１    収容孔
Ｍ  磁力線
【図１】
2004347365.tif 000003
【図２】
2004347365.tif 000004
【図３】
2004347365.tif 000005
【図４】
2004347365.tif 000006
【図５】
2004347365.tif 000007
【図６】
2004347365.tif 000008
【図７】
2004347365.tif 000009
【図８】
2004347365.tif 000010
【図９】
2004347365.tif 000011